(57)【要約】【課題】通常動作時に短時間で最適なレーザパワーを求めることが出来るディスク再生装置を提供する。【解決手段】本発明に係るディスク再生装置は、光学ヘッド５に駆動信号を供給して光学ヘッド５が出射するレーザ光のパワーを調整することが可能なレーザ駆動回路６と、再生信号のエラーレートを検出すると共にレーザ駆動回路６の動作を制御する制御回路７とを具えている。制御回路７は、エラーレートが規定値或いはその近傍値となる２つの境界値の内、一方の境界値を検索し、検索された一方の境界値を基準として最適再生パワーを算出する処理を繰り返す。このとき、制御回路７は、前回の最適再生パワー算出処理で得られた境界値を基準として、新たな境界値を検索する。【選択図】　　　図１
2004063011.tif 000002
【特許請求の範囲】
【請求項１】
ディスクに光学ヘッドからレーザ光を照射して、該ディスクから信号を再生することが可能であって、光学ヘッドに駆動信号を供給して光学ヘッドが出射するレーザ光のパワーを調整することが可能なレーザ駆動回路と、レーザ駆動回路の動作を制御する制御回路とを具えたディスク再生装置において、制御回路は、信号再生時のレーザ光のパワーを最適化する処理を繰り返す再生パワー最適化手段を具え、該再生パワー最適化手段は、
信号再生状態の良否を表わす評価データを検出する評価データ検出手段と、
評価データが規定値或いはその近傍値となる再生パワーの２つの境界値の内、一方の境界値を検索する検索手段と、
検索された一方の境界値を基準として最適再生パワーを算出する最適再生パワー算出手段
とから構成され、前記検索手段は、前回の最適化処理で得られた境界値を基準として新たな境界値を検索することを特徴とするディスク再生装置。
【請求項２】
検索手段は、前記２つの境界値の内、値の小さい方の下方境界値を検索し、最適再生パワー算出手段は、下方境界値に所定値を加算することによって最適再生パワーを決定する請求項１に記載のディスク再生装置。
【請求項３】
評価データは、再生信号に含まれるビットエラーの発生頻度である請求項１又は請求項２に記載のディスク再生装置。
【請求項４】
ディスクの温度を検出する温度検出手段を具え、再生パワー最適化手段は、ディスクの温度が所定温度だけ変化する度に再生パワーの最適化を実行する請求項１乃至請求項３の何れかに記載のディスク再生装置。
【発明の詳細な説明】
【０００１】
【発明の属する技術分野】
本発明は、ディスクに光学ヘッドからレーザ光を照射して、該ディスクから信号を再生するディスク再生装置に関するものである。
【０００２】
【従来の技術】
従来、ディスク記録再生装置の記録媒体として、書換え可能であって、記憶容量が大きく、然も信頼性の高い光磁気ディスクが開発されており、コンピュータやオーディオ・ビジュアル機器の外部メモリとして広く用いられている。
特に近年においては、図８に示す如く光磁気ディスク（１）の信号面に、ランド（１１）とグルーブ（１２）を交互に形成し、ランド（１１）とグルーブ（１２）の両方に信号を記録して、記録密度を上げる技術が開発されている。
【０００３】
ランド（１１）及びグルーブ（１２）は、図示の如く蛇行（ウォブリング）しており、蛇行の周波数は、所定の中心周波数にＦＭ変調がかけられており、信号再生によって、このウォブル信号が検出され、ウォブル信号が常に中心周波数となる様に光磁気ディスクの回転を調整することによって、線速度一定制御が実現される。又、ウォブル信号には、前述の如くＦＭ変調がかけられて、アドレス情報等の各種の情報（ウォブル情報）が含まれており、信号再生時には、このウォブル情報に基づいて各種の制御動作が実現される。
【０００４】
尚、レーザパルス磁界変調型のディスク記録再生装置においては、信号の再生時に、光磁気ディスクにレーザ光が照射されると共に、信号記録時にも、光磁気ディスクにレーザ光が照射されて、光磁気ディスクが局所的に加熱される。又、磁気超解像を利用した光磁気ディスクにおいては、信号再生時のレーザパワーを上げていって、ビームスポット領域の温度が所定値に達したときから信号の読出しを開始するのであるが、信号再生時のレーザパワー（再生パワー）は、信号記録時のレーザパワー（記録パワー）よりも低く設定されるので、信号再生に伴って記録信号が破損してしまう虞はない。
【０００５】
ところで、ディスク記録再生装置の信号再生においては、例えば図９に示す如く再生パワーが変化することによって、再生信号のエラーレートが二次曲線的に変化し、エラーレートが最小値となる最適再生パワーＰｒｃｅｎｔが存在する。再生パワーが最適値Ｐｒｃｅｎｔからずれると、再生信号のエラーレートが増大し、エラーレートが一定の規定値を超えると、正常な信号再生が困難となる。同様に、信号記録においても、エラーレートが最小値となる最適記録パワーが存在し、エラーレートが一定の規定値を超えると、正常な信号記録が困難となる。従って、信号再生時のレーザパワーを、エラーレートが規定値或いはその近傍値となる２つの境界値、即ち下方境界再生パワーＰｒｍｉｎと上方境界再生パワーＰｒｍａｘの間に設定すると共に、信号記録時のレーザパワーを、エラーレートが規定値或いはその近傍値となる２つの境界値、即ち下方境界記録パワーと上方境界記録パワーの間に設定する必要がある。
【０００６】
そこで従来のディスク記録再生装置においては、システムの起動時に、エラーレートが最小となる最適な再生パワー及び記録パワーを検索することとしている。
起動時に最適再生パワーを求める手続きとしては、図１２に表わされる手続きが採用されている。即ち、先ず、再生パワーを初期値Ｐ０に設定し、再生パワーを下げることによって、再生パワーをエラーレートが所定の規定値（＝２０）以下となる下方境界値Ｐｒｍｉｎ１まで変化させ、その後、その再生パワーに所定値Ｎ（所定ステップ分のパワー）を加算することによって最適再生パワーＰ１を求めるのである。
【０００７】
図１０は、ディスク記録再生装置の起動時に実行される再生パワー調整手続きを表わしている。
先ずステップＳ５１にて、現在の再生パワーＰｒとして初期値Ｐ０を設定し、ステップＳ５２にて、テストトラックの再生を行なって、そのときのエラーレートＥを測定する。次にステップＳ５３では、測定したエラーレートＥが規定値Ｅ０（＝２０）を上回っているか否かを判断する。ここでノーと判断された場合は、ステップＳ５４に移行して再生パワーＰｒを４ステップ分だけ下げた後、ステップＳ５２に戻って、同じ手続きを繰り返す。
その後、エラーレートＥが規定値Ｅ０を上回ってステップＳ５３にてイエスと判断されると、ステップＳ５５に移行して、再生パワーＰｒを１ステップ分だけ上げた後、ステップＳ５６にて、テストトラックの再生を行なって、そのときのエラーレートＥ′を測定する。次にステップＳ５７では、測定したエラーレートＥ′が前記規定値Ｅ０以下であるか否かを判断する。ここでノーと判断された場合は、ステップＳ５５に戻って、同じ手続きを繰り返す。
【０００８】
エラーレートＥ′が規定値Ｅ０以下となってステップＳ５７にてイエスと判断されると、ステップＳ５８に移行して、その時点での再生パワーＰｒを下方境界値Ｐｒｍｉｎとし、更にステップＳ５９では、下方境界再生パワーＰｒｍｉｎに４ステップ分のパワーを加算して得られる値を最適再生パワーＰｒｃｅｎｔとして、手続きを終了する。
この結果、最適なレーザパワーで信号の再生が開始されることになる。
【０００９】
しかしながら、信号再生及び信号記録のための通常動作時においては、レーザ光の照射によってディスク温度が徐々に上昇し、これに伴って最適記録パワーや最適再生パワーが変化することになる。従って、システムの起動時にレーザパワーが最適であっても、その後の通常動作においてはレーザパワーが最適値からずれて、正常な信号記録や信号再生が困難となる。
【００１０】
そこで、通常動作において、ディスク温度に所定温度以上の温度変化が生じる度にレーザパワーの最適化を実行することとしている。
通常動作時に最適再生パワーを求める手続きとして、図１３に表わされる手続きが採用されている。即ち、先ず、再生パワーをその時点での設定値Ｐ１から下げることによって、再生パワーをエラーレートが所定の規定値（＝２０）以下となる下方境界値Ｐｒｍｉｎ２まで変化させ、その後、その再生パワーに所定値Ｎ（所定ステップ分のパワー）を加算することによって、最適再生パワーＰ２を求めるのである。
【００１１】
図１１は、システム起動後の通常動作において、所定温度（＝５℃）以上の温度変化が発生したときに実行される再生パワー調整手続きを表わしている。
先ずステップＳ６１にて、再生パワーＰｒをその時点での設定値とし、ステップＳ６２にて、テストトラックの再生を行なって、そのときのエラーレートＥを測定する。次にステップＳ６３では、測定したエラーレートＥが規定値Ｅ０（＝２０）を上回っているか否かを判断する。ここでノーと判断された場合は、ステップＳ６４に移行して再生パワーＰｒを４ステップ分だけ下げた後、ステップＳ６２に戻って、同じ手続きを繰り返す。
その後、エラーレートＥが規定値Ｅ０を上回ってステップＳ６３にてイエスと判断されると、ステップＳ６５に移行して再生パワーＰｒを１ステップ分だけ上げた後、ステップＳ６６にて、テストトラックの再生を行なって、そのときのエラーレートＥ′を測定する。次にステップＳ６７では、測定したエラーレートＥ′が規定値Ｅ０以下であるか否かを判断する。ここでノーと判断された場合は、ステップＳ６５に戻って、同じ手続きを繰り返す。
【００１２】
エラーレートＥ′が規定値Ｅ０以下となってステップＳ６７にてイエスと判断されると、ステップＳ６８に移行して、その時点での再生パワーＰｒを下方境界値Ｐｒｍｉｎとし、更にステップＳ６９では、下方境界再生パワーＰｒｍｉｎに４ステップ分のパワーを加算して得られる値を最適再生パワーＰｒｃｅｎｔとして、手続きを終了する。
この結果、光磁気ディスクの温度に応じた最適なレーザパワーで信号の再生及び記録が継続されることになる。
【００１３】
【発明が解決しようとする課題】
しかしながら、上記ディスク記録再生装置においては、通常動作時の再生パワー調整処理において、下方境界値Ｐｒｍｉｎを検索する際に基準とする再生パワー、即ち、その時点で設定されている再生パワーＰ１は、図１３に示す如く、新たな下方境界値Ｐｒｍｉｎ２から遠く離れた値であるため、新たな下方境界値Ｐｒｍｉｎ２の検索に長い時間が必要となり、この結果、最適再生パワーの検索に時間がかかって、本来の再生動作及び記録動作に支障をきたす虞がある問題があった。
本発明の目的は、通常動作時に短時間で最適なレーザパワーを求めることが出来るディスク再生装置を提供することである。
【００１４】
【課題を解決する為の手段】
本発明に係るディスク再生装置は、光学ヘッドに駆動信号を供給して光学ヘッドが出射するレーザ光のパワーを調整することが可能なレーザ駆動回路と、レーザ駆動回路の動作を制御する制御回路とを具え、制御回路は、信号再生時のレーザ光のパワーを最適化する処理を繰り返す再生パワー最適化手段を具えている。そして、該再生パワー最適化手段は、
信号再生状態の良否を表わす評価データを検出する評価データ検出手段と、
評価データが規定値或いはその近傍値となる再生パワーの２つの境界値の内、一方の境界値を検索する検索手段と、
検索された一方の境界値を基準として最適再生パワーを算出する最適再生パワー算出手段
とから構成され、前記検索手段は、前回の最適化処理で得られた境界値を基準として新たな境界値を検索する。
尚、評価データとしては、例えば、再生信号に含まれるビットエラーの発生頻度（ビットエラーレート）を採用することが出来る。
【００１５】
本発明の再生パワーの最適化においては、前回の最適化処理で検索された境界値を基準として新たな境界値が検索される。ここで、前回の最適化処理で検索された境界値は、その時点で設定されている再生パワーよりも新たな境界値に近い値である。従って、境界値の検索に要する時間が短縮化され、これによって最適再生パワーの算出にかかる時間が短縮される。
【００１６】
具体的構成において、検索手段は、前記２つの境界値の内、値の小さい方の下方境界値を検索し、最適再生パワー算出手段は、下方境界値に所定値を加算することによって最適再生パワーを決定する。
【００１７】
再生パワーとエラーレートの関係は、上述の如く二次曲線で表わすことが出来、二次曲線の頂点に対応するレーザパワーが、エラーレートを最小化する最適再生パワーとなる。又、再生パワーの最適値が変化すると、これに伴って下方境界値も変化し、最適値と下方境界値との差は略一定の値となる。従って、下方境界値が得られれば、下方境界値にこの差を加算することによって最適再生パワーを求めることが出来る。
【００１８】
又、具体的には、ディスクの温度を検出する温度検出手段を具え、再生パワー最適化手段は、ディスクの温度が所定温度だけ変化する度に再生パワーの最適化を実行する。
【００１９】
上記具体的構成においては、ディスクの温度が所定温度だけ変化する度に、ディスクの温度に応じた最適再生パワーが得られ、光学ヘッドから出射されるレーザ光のパワーが最適値に調整される。この結果、信号再生時のビットエラーレートは最小化され、信号再生に伴って記録信号が破損される虞はない。
【００２０】
【発明の効果】
本発明に係るディスク再生装置によれば、通常動作時に短時間で最適なレーザパワーを求めることが出来る。
【００２１】
【発明の実施の形態】
以下、本発明を、光磁気ディスクを記録媒体とするディスク記録再生装置に実施した形態につき、図面に沿って具体的に説明する。
本発明に係るディスク記録再生装置においては、図１に示す如く、スピンドルモータ（２）によって回転駆動される光磁気ディスク（１）を挟んで上下に、磁気ヘッド（３）と光学ヘッド（５）が配備され、磁気ヘッド（３）には磁気ヘッド駆動回路（４）が接続される一方、光学ヘッド（５）にはレーザ駆動回路（６）が接続されている。磁気ヘッド駆動回路（４）及びレーザ駆動回路（６）には制御回路（７）が接続され、該制御回路（７）によって信号の記録／再生動作が制御されている。そして、光学ヘッド（５）の出力信号が制御回路（７）に供給されて、増幅、再生信号の検出、エラー訂正などの処理が施された後、再生データとして後段回路へ出力される。
【００２２】
又、スピンドルモータ（２）及び光学ヘッド（５）にはサーボ回路（９）が接続されている。光学ヘッド（５）の出力信号から得られるフォーカスエラー（ＦＥ）信号及びトラッキングエラー（ＴＥ）信号が制御回路（７）からサーボ回路（９）に供給されて、ＦＥ信号及びＴＥ信号に基づいて、光学ヘッド（５）に装備されているアクチュエータ（図示省略）に対するフォーカスサーボ及びトラッキングサーボが実行される。又、制御回路（７）からサーボ回路（９）に外部同期信号が供給されて、該信号に基づきスピンドルモータ（２）の回転が制御される。
更に、光磁気ディスク（１）に対向して、光磁気ディスク（１）の温度を測定するための温度センサ（８）が設置され、該温度センサ（８）の出力端は制御回路（７）に接続されている。制御回路（７）では、温度センサ（８）から得られる温度データに基づいてレーザパワー制御信号が作成され、作成された信号は前記レーザ駆動回路（６）に供給される。レーザ駆動回路（６）では、該レーザパワー制御信号に応じて、信号再生時及び信号記録時に光学ヘッド（５）から出射されるレーザ光のパワーが後述の如く調整される。
【００２３】
図２は、ディスク記録再生装置の起動時に上記制御回路（７）によって実行される手続きを表わしている。
装置本体の電源がオンに設定されると、先ずステップＳ１にて、サーボ回路（９）の各種ゲインを初期値に設定し、ステップＳ２では、ＴＥ信号に基づいてフォーカスのオフセット値の調整を行なう。
次にステップＳ３にて、ＴＥ信号に基づいてトラッキングのオフセット値の調整を行なった後、ステップＳ４にて、記録パワー及び再生パワーをそれぞれ初期値に設定し、更にステップＳ５では、光磁気ディスクに記録されているアドレス情報を読み出すために必要なゲイン（アドレスゲイン）、及びＦＣＭ（ファインクロックマーク）を読み出すために必要なゲイン（ＦＣＭゲイン）を初期値に設定する。
【００２４】
続いてステップＳ６では、ＲＦ信号に基づいてフォーカスのオフセット値の調整を行なった後、ステップＳ７にて再生パワーの調整を行なう。更にステップＳ８にて、フォーカスのサーボゲイン及びトラッキングのサーボゲインの調整を行なった後、ステップＳ９では、前記アドレスゲイン及びＦＣＭゲインの調整を行なう。これらステップＳ６〜ステップＳ９の一連の調整処理は、光磁気ディスクに予め設けられているテストトラックのランド及びグルーブの夫々について実行される。
【００２５】
更にステップＳ１０では、テストトラックのランド及びグルーブの夫々について記録パワーの調整を行ない、ステップＳ１１では、上述の如く調整したパラメータの現在値のチェックを行なう。最後にステップＳ１２にて、それらのパラメータの現在値を内蔵メモリに格納した後、ステップＳ１３にて現在のディスク温度Ｔ０を内蔵メモリに格納して、手続きを終了する。
【００２６】
上記ステップＳ７の再生パワー調整処理においては、最適再生パワーを求める手続きとして、図６に表わされる手続きが採用されている。即ち、先ず、再生パワーを初期値Ｐ０に設定し、再生パワーを下げることによって、再生パワーをエラーレートが所定の規定値（＝２０）以下となる下方境界値Ｐｒｍｉｎ１まで変化させ、その後、その再生パワーに所定値Ｎ（所定ステップ分のパワー）を加算することによって、最適再生パワーＰ１を求めるのである。かかる手続きは、従来のディスク記録再生装置において起動時に最適再生パワーを求める手続きと同一である。
【００２７】
図３は、上記ステップＳ７にて実行される再生パワー調整処理の具体的手続きを表わしている。
先ずステップＳ２１にて、現在の再生パワーＰｒとして初期値Ｐ０を設定し、ステップＳ２２にて、テストトラックの再生を行なって、そのときのエラーレートＥを測定する。次にステップＳ２３では、測定したエラーレートＥが規定値Ｅ０（＝２０）を上回っているか否かを判断する。ここでノーと判断された場合は、ステップＳ２４に移行して再生パワーＰｒを４ステップ分だけ下げた後、ステップＳ２２に戻って、同じ手続きを繰り返す。
その後、エラーレートＥが規定値Ｅ０を上回ってステップＳ２３にてイエスと判断されると、ステップＳ２５に移行して、再生パワーＰｒを１ステップ分だけ上げた後、ステップＳ２６にて、テストトラックの再生を行なって、そのときのエラーレートＥ′を測定する。次にステップＳ２７では、測定したエラーレートＥ′が規定値Ｅ０以下であるか否かを判断する。ここでノーと判断された場合は、ステップＳ２５に戻って、同じ手続きを繰り返す。
【００２８】
エラーレートＥ′が規定値Ｅ０以下となってステップＳ２７にてイエスと判断されると、ステップＳ２８に移行して、その時点での再生パワーＰｒを下方境界値Ｐｒｍｉｎとし、更にステップＳ２９では、下方境界値Ｐｒｍｉｎを内蔵メモリに格納した後、ステップＳ３０にて下方境界再生パワーＰｒｍｉｎに４ステップ分のパワーを加算して得られる値を最適再生パワーＰｒｃｅｎｔとして、手続きを終了する。
この結果、最適なレーザパワーで信号の再生及び記録が開始されることになる。
【００２９】
図４は、システム起動後、信号再生及び信号記録のための通常動作において制御回路（７）によって実行される手続きを表わしている。
通常動作が開始されると、先ずステップＳ３１にて、過去のディスク温度Ｔｏｌｄとして、上述の如く装置本体の起動時に内蔵メモリに格納された温度Ｔ０を設定し、ステップＳ３２では、一定時間だけ時間の経過を待った後、現在のディスク温度Ｔｎｏｗを測定する。
【００３０】
続いてステップＳ３３では、現在のディスク温度Ｔｎｏｗが過去のディスク温度Ｔｏｌｄに所定温度Ｔｔｈｒを加算して得られる温度（Ｔｏｌｄ＋Ｔｔｈｒ）以上であるか否かを判断し、ノーと判断された場合はステップＳ３２に戻って、同じ手続きを繰り返す。ここで、所定温度Ｔｔｈｒは、例えば５℃に設定される。ディスク温度に前記所定温度Ｔｔｈｒ以上の変化が生じてステップＳ３３にてイエスと判断されると、ステップＳ３４に移行して、装置本体がディスクの温度変化に応じて各種のパラメータを調整することが可能な状態に設定されているか否かを判断し、ノーと判断された場合はステップＳ３２に戻る一方、イエスと判断された場合はステップＳ３５に移行して、再生パワーの調整を行なった後、ステップＳ３６にて記録パワーの調整を行なう。
【００３１】
更にステップＳ３７にて、ＲＦ信号に基づいてフォーカスのオフセット値の調整を行なった後、ステップＳ３８では、ＴＥ信号に基づいてフォーカスのオフセット値の調整を行なう。最後にステップＳ３９にて、上述の如く調整したパラメータの現在値を内蔵メモリに格納した後、ステップＳ４０にて、過去のディスク温度Ｔｏｌｄを現在のディスク温度Ｔｎｏｗに設定して、ステップＳ３２に戻る。
【００３２】
本発明に係るディスク記録再生装置においては、上記ステップＳ３５の再生パワー調整処理において最適再生パワーを求める手続きとして、図７に表わされる手続きが採用されている。即ち、先ず、再生パワーを前回の調整処理において得られた下方境界値Ｐｒｍｉｎ１から下げることによって、再生パワーをエラーレートがその時点で所定の規定値（＝２０）以下となる下方境界値Ｐｒｍｉｎ２まで変化させ、その後、その再生パワーに所定値Ｎ（所定ステップ分のパワー）を加算することによって、最適再生パワーＰ２を求めるのである。
【００３３】
図５は、上記ステップＳ３５にて実行される再生パワー調整処理の具体的手続きを表わしている。
先ずステップＳ４１にて、再生パワーＰｒとして、内蔵メモリに格納されている下方境界値Ｐｒｍｉｎを設定し、ステップＳ４２にて、テストトラックの再生を行なって、そのときのエラーレートＥを測定する。次にステップＳ４３では、測定したエラーレートＥが規定値Ｅ０（＝２０）を上回っているか否かを判断する。ここでノーと判断された場合は、ステップＳ４４に移行して再生パワーＰｒを４ステップ分だけ下げた後、ステップＳ４２に戻って、同じ手続きを繰り返す。
その後、エラーレートＥが規定値Ｅ０を上回ってステップＳ４３にてイエスと判断されると、ステップＳ４５に移行して再生パワーＰｒを１ステップ分だけ上げた後、ステップＳ４６にて、テストトラックの再生を行なって、そのときのエラーレートＥ′を測定する。次にステップＳ４７では、測定したエラーレートＥ′が規定値Ｅ０以下であるか否かを判断する。ここでノーと判断された場合は、ステップＳ４５に戻って、同じ手続きを繰り返す。
【００３４】
エラーレートＥ′が規定値Ｅ０以下となってステップＳ４７にてイエスと判断されると、ステップＳ４８に移行して、その時点での再生パワーＰｒを下方境界値Ｐｒｍｉｎとし、最後にステップＳ４９にて、該下方境界値Ｐｒｍｉｎを内蔵メモリに格納した後、ステップＳ５０にて、下方境界再生パワーＰｒｍｉｎに４ステップ分のパワーを加算して得られる値を最適再生パワーＰｒｃｅｎｔとして、手続きを終了する。
この結果、光磁気ディスクの温度に応じた最適なレーザパワーで信号の再生及び記録が継続されることになる。
【００３５】
本発明に係るディスク記録再生装置においては、信号再生時及び信号記録時における再生パワー調整処理において、図７に示す如く、前回の調整処理において得られた下方境界値Ｐｒｍｉｎ１を基準として新たな下方境界値Ｐｒｍｉｎ２が検索される。この様に、新たな下方境界値Ｐｒｍｉｎ２の検索の際、その時点で設定されている再生パワーＰ１よりも新たな下方境界値Ｐｒｍｉｎ２に近い前回値Ｐｒｍｉｎ１が基準とされるので、下方境界値の検索に要する時間が短縮化される。これによって最適再生パワーの算出にかかる時間が短縮され、本来の再生動作及び記録動作に支障をきたす虞はない。
【００３６】
尚、本発明の各部構成は上記実施の形態に限らず、特許請求の範囲に記載の技術的範囲内で種々の変形が可能である。
例えば、図２のステップＳ１０及び図４のステップＳ３６にて実行される記録パワー調整処理において、最適記録パワーを求める手続きとして図７に表わされる手続きを採用することも可能である。
又、上記実施の形態においては、エラーレートが規定値以下となる再生パワーを下方境界再生パワーＰｒｍｉｎとして検索する構成を採用しているが、エラーレートが規定値以上となる再生パワーを下方境界再生パワーとして検索する構成を採用することも可能である。
【図面の簡単な説明】
【図１】本発明に係るディスク記録再生装置の構成を表わすブロック図である。
【図２】上記ディスク記録再生装置の起動時に実行される手続きを表わすフローチャートである。
【図３】起動時に実行される再生パワー調整処理の具体的手続きを表わすフローチャートである。
【図４】上記ディスク記録再生装置の通常動作時に実行される手続きを表わすフローチャートである。
【図５】通常動作時に実行される再生パワー調整処理の具体的手続きを表わすフローチャートである。
【図６】起動時に実行される再生パワー最適化処理の手順を説明するグラフである。
【図７】通常動作時に実行される再生パワー最適化処理の手順を説明するグラフである。
【図８】光磁気ディスクに形成されているランドとグルーブを表わす拡大斜視図である。
【図９】再生パワーとエラーレートの関係を表わすグラフである。
【図１０】従来のディスク記録再生装置において起動時に実行される再生パワー調整処理の具体的手続きを表わすフローチャートである。
【図１１】上記ディスク記録再生装置において通常動作時に実行される再生パワー調整処理の具体的手続きを表わすフローチャートである。
【図１２】起動時に実行される再生パワー最適化処理の手順を説明するグラフである。
【図１３】通常動作時に実行される再生パワー最適化処理の手順を説明するグラフである。
【符号の説明】
（１）　光磁気ディスク
（２）　スピンドルモータ
（３）　磁気ヘッド
（４）　磁気ヘッド駆動回路
（５）　光学ヘッド
（６）　レーザ駆動回路
（７）　制御回路
（８）　温度センサ
（９）　サーボ回路
【図１】
2004063011.tif 000003
【図２】
2004063011.tif 000004
【図３】
2004063011.tif 000005
【図４】
2004063011.tif 000006
【図５】
2004063011.tif 000007
【図６】
2004063011.tif 000008
【図７】
2004063011.tif 000009
【図８】
2004063011.tif 000010
【図９】
2004063011.tif 000011
【図１０】
2004063011.tif 000012
【図１１】
2004063011.tif 000013
【図１２】
2004063011.tif 000014
【図１３】
2004063011.tif 000015